(57)【要約】【課題】画像読取装置を制御する読取制御装置におけるユーザの利便性を向上させる。【解決手段】読取制御装置３０に、読取予定の撮影画像に対応した撮影メニューが登録された検査の検査実行中に、ユーザにより終了ボタンが押下された際、（１）削除手段５１により未撮影メニューを削除する、（２）保留手段５２により未撮影メニューを保留とする、（３）表示指示手段５３により（１）、（２）のいずれの処理を行うかユーザに問い合わせを行い、ユーザの指示にしたがった処理を行う、という複数の処理のうちから任意の処理を選択する選択手段５２を備える。【選択図】　　　　　図１
2004053728.tif 000002
【特許請求の範囲】
【請求項１】
被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置であって、
読取予定の撮影画像に対応した撮影メニューを予め登録しておくメニュー登録手段と、
前記撮影画像の読取りの終了を指示する指示手段と、
前記登録された撮影メニューに対応した、少なくとも１つの撮影画像の読取りが終了していない状態で前記指示手段により読取りの終了が指示されたとき、少なくとも
（１）前記読取りが終了していない撮影メニューを削除する、
（２）前記読取りが終了していない撮影メニューを撮影待ちとする、
の処理を含む複数の処理から任意の１つの処理を選択する選択手段とを備えたことを特徴とする読取制御装置。
【請求項２】
前記複数の処理の１つが、前記（１）、（２）のいずれの処理を行うかの問い合わせを行い、該問い合わせの返答に応じた処理を行うものであることを特徴とする請求項１記載の読取制御装置。
【請求項３】
被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置であって、
読取予定の撮影画像に対応した撮影メニューを予め登録しておくメニュー登録手段と、
登録された撮影メニューに設定されている読取条件を変更する変更手段と、
先に登録した撮影メニューと同一の撮影メニューを登録するオートリピート手段とを備えていることを特徴とする読取制御装置。
【請求項４】
被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置であって、
読取予定の撮影画像に対応した撮影メニューを予め登録しておくメニュー登録手段と、
前記撮影メニューの登録後、該撮影メニューに対応した撮影画像の読取りが終了していない撮影メニューを読取り待ちとする保留手段と、
前記読取り待ちの撮影メニューに対応する撮影画像の読取りを行うことなく前記読取りの終了していない撮影メニューを削除する終了手段と、
前記終了手段に対して、前記読取り待ちの複数の撮影メニューに対応する撮影画像の読取りの終了を、一括して指示する一括終了指示手段とを備えていることを特徴とする読取制御装置。
【発明の詳細な説明】
【０００１】
【発明の属する技術分野】
本発明は、放射線画像等の被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置に関するものである。
【０００２】
【従来の技術】
従来、放射線を照射するとこの放射線エネルギーの一部を蓄積し、その後、可視光やレーザ光などの励起光を照射すると、蓄積された放射線エネルギーに応じて輝尽発光を示す蓄積性蛍光体（輝尽性蛍光体）が知られており、この蓄積性蛍光体を支持体上に積層してなる蓄積性蛍光体シートを用いる放射線画像記録再生システムが広く実用に供されている。
【０００３】
この放射線画像記録再生システムは、被写体を透過させた放射線を蓄積性蛍光体シートに照射してこの蓄積性蛍光体シートに被写体の放射線画像情報を蓄積記録させる放射線画像撮影装置、該蓄積性蛍光体シートをレーザ光などの励起光により該シートを２次元的に走査してその励起光照射部分から輝尽発光光を生じさせ、この輝尽発光光を光電読取手段により読み取って上記放射線画像情報を示す画像データを得る画像読取装置、該画像読取装置により得られた画像データを、観察読影に適した階調処理や周波数処理などの画像処理を施した上で、プリンタやモニタに出力する機能を有する画像処理装置と、画像読取りを行うに際して患者情報や撮影メニュー等を予め登録し、該登録された撮影メニュー毎に設定された読取条件に基づいた撮影画像の読取りを画像読取装置に実行させる読取制御装置とから構成される。なお、読取制御装置は、撮影装置による撮影の制御を行う撮影制御装置と一体的に構成される場合があり、放射線画像撮影装置と画像読取装置とは撮影部と読取部とを備えた１つの装置として構成される場合がある。また、画像処理装置と読取制御装置（撮影制御装置）とは各機能を有する１台の汎用コンピュータ等により構成される場合が多い。
【０００４】
【発明が解決しようとする課題】
従来の読取制御装置の処理について簡単に説明する。まず、本装置のユーザである放射線技師が、読取制御装置の表示部に表示された検査受付画面にしたがい、１検査としてオーダーされた撮影に関する撮影メニューの登録を行う。１検査では、一回のみ撮影する場合もあれば、複数回撮影を行う場合もある。撮影メニューとは、一回の撮影について、その撮影から出力に到るまでに必要な各種パラメータのセットである。撮影メニューの登録では、撮影部位を選択するようになっており、該撮影部位を選択することにより撮影部位毎に設定された撮影条件、読取条件、読取り画像データの画像処理条件、出力条件等のパラメータが設定される。なお、このパラメータはユーザにより適宜変更可能となっている。読取制御装置は、登録された撮影メニューに対応する撮影画像の読取りを、該撮影メニューごとに設定された読取条件に基づいて実行させる。そして、通常は、１検査として登録されたすべての撮影メニューに対応した撮影画像の読取りが終了した時点で検査終了となる。
【０００５】
しかしながら、実際の利用においては、検査の途中、例えば、１つの検査として複数の撮影メニューが登録されている場合、複数の撮影メニューのうち一部の撮影メニューに対応する撮影画像の読取りが終了していない状態（該撮影メニューに対応する撮影画像の撮影が実行されておらず、撮影画像が存在しない場合を含む）で検査の終了指示（読取終了指示）が出されることがある。また、単独の撮影メニューを１つの検査として登録した場合であっても、この撮影メニューに対応する撮影画像の読取りが終了していない状態で該検査の終了指示がなされる場合がある。
【０００６】
従来の装置においては、上述のように撮影画像の未読取り（未撮影）の撮影メニューが残った状態で検査終了の指示が出された場合、その撮影メニューが読取り待ち、すなわちその検査が検査待ちとなり検査待ち（読取り待ち）リストに残るような固定的な設定がなされていた。
【０００７】
しかしながら、未撮影の撮影メニューが残ったまま検査を終了させる理由としては、余分に複数の撮影メニューの登録を行い、複数の撮影メニューのうち必要なもののみを選択的に実行する場合、被写体である患者の具合が悪くなり途中中断する場合等があり、事情は個々の病院、個々のユーザにより異なる。
【０００８】
したがって対応する撮影画像が未読取りの撮影メニュー（該未読み取りの撮影メニューを含む検査）を常に読取り待ちリストにリストアップするという固定的な扱いでは、読取り待ちリストにリストアップされたが読取りが必要でない撮影メニュー（該メニューを含む検査）について、別途終了処理を行わなければならず不便であった。特に１検査として複数の撮影メニューの登録を行い状況に応じて必要なものを選択的に撮影する方法を用いるユーザにとって作業効率が悪かった。
【０００９】
次に、前述の読取り待ち（検査待ち）リストには、撮影メニューの登録がなされ受け付けられた検査であって、未読取りの撮影メニューが含まれている検査がリストアップされている。従来の装置においては、検査待ちの複数の検査を、未読取りの撮影メニューに基づいた読取りを実行させることなく終了させたい場合、個々の検査毎に検査終了処理の実行を指示する必要があり非効率であった。
【００１０】
また次に、１検査内の撮影として、同一撮影部位について被写体の撮像角度、撮像位置を移動させて撮影する場合がある。前述の通り、撮影メニューとは、画像読取装置による画像読取条件等の各種パラメータが付随するものであるが、この各パラメータのデフォルト値からの変更は必要に応じてユーザにより行われる。従来の装置においては、デフォルト値と異なるパラメータを持つ同一のメニューを複数回登録する場合に、１メニュー登録毎に撮影パラメータの調整が必要であり、ユーザが同一のパラメータ変更作業を繰返し行う必要があった。このように登録作業に手間がかかるためユーザの負担が大きく、同一メニューを複数登録する際の利便性向上が望まれている。
【００１１】
本発明は、上記事情に鑑み、ユーザにとっての利便性を向上させ、作業効率化を促進させた読取制御装置を提供することを目的とする。
【００１２】
【課題を解決するための手段】
本発明の第１の読取制御装置は、被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置であって、
読取予定の撮影画像に対応した撮影メニューを予め登録しておくメニュー登録手段と、
前記撮影画像の読取りの終了を指示する指示手段と、
前記登録された撮影メニューに対応した、少なくとも１つの撮影画像の読取りが終了していない状態で前記指示手段により読取りの終了が指示されたとき、少なくとも（１）前記読取りが終了していない撮影メニューを削除する、
（２）前記読取りが終了していない撮影メニューを撮影待ちとする、
を含む複数の処理のうちから任意の１つの処理を選択する選択手段とを備えたことを特徴とするものである。
【００１３】
ここで、撮影メニューとは、一つの撮影画像についての、少なくとも撮影部位および画像読取条件を含むパラメータのセットである。
【００１４】
前記メニュー登録手段により同時に登録される撮影メニューは１つでもよいし、複数であってもよい。「同時に登録される」とは、例えば、放射線画像撮影において１検査としてオーダーされる単位で登録されることに相当する。
【００１５】
「前記撮影画像の読取りの終了」とは、撮影画像の読取りを実行して終了することを意味するものではなく、実行することなく読取りを終了（中止）することを意味する。
【００１６】
「前記登録された撮影メニューに対応した、少なくとも１つの撮影画像」とは、撮影メニューが複数である場合にはそのうちの少なくとも１つの撮影メニューに対応する撮影画像であり、登録された撮影メニューが単数である場合には、該撮影メニューに対応する撮影画像を意味する。
【００１７】
なお、前記複数の処理としては、前記（１）、（２）の処理以外の処理を含んでいてもよく、例えば、前記（１）、（２）のいずれの処理を行うかの問い合わせを行い、該問い合わせの返答に応じた処理を行うという処理を含むことができる。「問い合わせを行う」の具体例としては、表示画面上へのダイアログ表示が挙げられる。
【００１８】
本発明の第２の読取制御装置は、被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置であって、
読取予定の撮影画像に対応した撮影メニューを予め登録しておくメニュー登録手段と、
登録された撮影メニューに設定されている読取条件を変更する変更手段と、
先に登録した撮影メニューと同一の撮影メニューを登録するオートリピート手段とを備えていることを特徴とするものである。
【００１９】
ここで、「先に登録した撮影メニューと同一の撮影メニュー」とは、先に登録した撮影メニューに設定されている読取条件をも含むものであり、前記変更手段により変更されている場合にはその変更後の読取条件が引き継がれる。
【００２０】
なお、撮影メニュー毎に設定されるのは、読取条件のみならず、撮影条件、出力条件等の各種パラメータであってもよく、この場合、オートリピート手段により同一撮影メニューを登録する際、すべてのパラメータが引き継がれる。
【００２１】
本発明の第３の読取制御装置は、被写体の撮影画像を担持する画像担体から該撮影画像を読み取って画像データを得る画像読取装置に接続され、該画像読取装置による撮影画像の読取りを、前記撮影画像に対応する撮影メニュー毎に設定された読取条件で実行させる読取制御装置であって、
読取予定の撮影画像に対応した撮影メニューを予め登録しておくメニュー登録手段と、
前記撮影メニューの登録後、該撮影メニューに対応した撮影画像の読取りが終了していない撮影メニューを読取り待ちとする保留手段と、
前記読取り待ちの撮影メニューに対応する撮影画像の読取りを行うことなく前記読取りを終了していない撮影メニューを削除する終了手段と、
前記終了手段に対して、前記読取り待ちの複数の撮影メニューに対応する撮影画像の読取りの終了を、一括して指示する一括終了指示手段とを備えていることを特徴とする読取制御装置。
【００２２】
【発明の効果】
本発明の第１の読取制御装置によれば、登録された撮影メニューに対応した撮影画像のうち、少なくとも１つの読取りが終了していない状態で読取りの終了が指示された場合の処理方法について、２種類以上の複数の選択肢のうちから選択する選択手段を備えたので、該処理方法が固定的であった従来の装置と比較して、各ユーザの利便性を向上させることができる。特に、放射線画像の読取装置に接続された読取制御装置では、各医療機関や操作技師各人等の実情に合わせた設定を行うことができ利便性向上の効果が顕著である。
【００２３】
本発明の第２の読取制御装置によれば、先に登録した撮影メニューと同一の撮影メニューを登録するオートリピート手段を備えたことにより、先に登録された撮影メニューに設定されている読取条件を引き継いで同一のメニューを登録することができる。変更手段により読取条件が変更されている場合でも、変更された読取条件をそのまま引き継ぐので、同一撮影部位かつ同一読取条件の撮影メニューを複数回入力する必要がある場合の撮影メニュー登録作業を効率化できる。
【００２４】
本発明の第３の読取制御装置によれば、読取り待ちとなっている複数の撮影メニューの読取りの終了を一括して指示する一括終了指示手段を備えたことにより、一登録単位の撮影メニュー（１検査）毎に終了処理を指示して実行させる必要があった従来の装置と比較して、ユーザにとっての作業を効率化することができる。
【００２５】
【発明の実施の形態】
以下、図面を参照して本発明の具体的な実施の形態について説明する。
【００２６】
図１は本発明の放射線画像読取システムの一実施形態の構成を示す図である。本実施形態の放射線画像情報読取システムは、図示しない放射線画像撮影装置において撮影された放射線画像を蓄積する画像担体から画像を読取って画像データを得る画像読取装置２０と、該読取装置２０に接続され、各撮影部位に応じた撮影メニューの登録を行い、該撮影メニュー毎に設定された読取条件に基づいた撮影画像の読取りを画像読取装置２０に実行させる読取制御装置３０とからなる。
【００２７】
放射線画像撮影装置は、被写体、ここでは患者の所定の部位に放射線を照射して、該部位の放射線画像を蓄積性蛍光体シートに蓄積記録せしめる装置である。
【００２８】
画像読取装置２０は、放射線画像が撮影記録された蓄積性蛍光体シートを励起光で走査し、該走査によってシートから発せられる輝尽発光光を受光して光電変換することにより画像データを得るものである。
【００２９】
本実施形態における読取制御装置３０は、医師等によりオーダーされた１検査単位で撮影メニューの登録を行い、撮影画像の画像読取りを実行させるものである。なお、１検査として登録される撮影メニュー数は、１つの場合も複数の場合もある。
【００３０】
読取制御装置３０は、検査受付画面、検査実行画面等を表示する表示部３２と、ユーザによる患者情報や撮影メニューの登録、検査開始処理、検査終了処理等の実行指示が入力される入力部３４と後述の処理部３８とから構成される。
【００３１】
入力部３４は、検査実行状態の検査の終了すなわち、撮影メニューの読取りの終了を指示する終了指示手段、検査待ち状態の複数の検査の終了すなわち読取り待ちの複数の撮影メニューの読取りの終了を一括して指示可能な一括終了指示手段等を含むものである。
【００３２】
なお、実際の各指示の入力は、ユーザが表示部３２の表示画面上の予約ボタン、開始ボタン、終了ボタン等の処理実行ボタンを押下することによりなされる。
【００３３】
処理部３８は、検査の受付すなわち撮影メニューの登録を行うメニュー登録手段である検査受付手段４１、検査を終了させる終了手段４２、同一撮影メニューによる画像読取りを繰り返し実行させる、すなわち同一撮影メニューを繰り返し登録するオートリピート手段４３、検査待ちリストを記憶する記憶手段４４とを備える。なお、処理部３８は、他の種々の処理を行う手段を備えるものであるが、ここでは、本発明に関する手段についてのみ説明し、他の処理手段についての詳細な説明を省略する。
【００３４】
検査受付手段４１は、入力手段を通して入力される患者情報、選択される撮影メニュー等の登録を行う登録手段と、撮影メニュー毎に設定されている各種パラメータを変更する変更手段とを備えている。
【００３５】
患者情報とは、患者ＩＤ番号、氏名、生年月日、性別等の患者を特定するための情報であり、撮影メニューの登録とは、読取予定（撮影予定）の、例えば、胸椎正面、胸椎側面等の撮影部位を表示画面上でユーザが選択することによりなされる処理である。パラメータの具体例としては、画像読取感度自動設定機能のモード、画像担体のサイズ、フィルム出力フォーマット等が挙げられる。
【００３６】
検査終了手段４２は、読取りを終了していない撮影メニュー（以下、未撮影メニューという）を削除する削除手段５１、未撮影メニューを読取り待ちとする保留手段５２と、問い合わせダイアログを表示部３２に表示させる表示指示手段５３と、１検査に登録された撮影メニューに対応した撮影画像のうち、少なくとも一つの読取りが終了していない状態で入力部３４からユーザにより検査の終了が指示されたとき、削除手段５１、保留手段５２、表示指示手段５３による処理のいずれを実施するかを選択する選択手段５４とを備えている。
【００３７】
選択手段５４の選択は、ユーティリティを用いてユーザが設定する。ユーティリティ設定画面の例を図２に示す。「検査中の設定」タグ内の「検査終了ボタン押下時の検査終了方法（未撮影メニューあり）の欄において、（１）未撮影メニューを削除して検査を終了する、（２）未撮影メニューを削除せずに検査を保留とする、（３）確認のダイアログを表示する、のいずれかをユーザが選択設定しておく。
【００３８】
検査終了手段４２は、上記設定画面において、（１）が選択されていれば、削除手段５１により未撮影メニューを削除して検査を終了とし、（２）が選択されていれば、保留手段５２により未撮影メニューを保持して検査を検査待ちとし、（３）が選択されていれば、表示指示手段５３によるダイアログの表示後、ユーザの指示に従った処理を行う。
【００３９】
オートリピート手段４３は、先の登録された撮影メニューに付随する各種パラメータ値を引継いで同一の撮影メニューを登録するものであり、デフォルト値と異なるパラメータを持つ同一のメニューを複数回登録する場合に用いられる。同一のメニューを複数回登録する際に、１メニュー登録毎に撮影パラメータの調整を行う必要がなくなるので、ユーザによる登録作業の利便性が向上する。
【００４０】
記憶手段４４は、検査待ちリストを記憶するものであり、ユーザは必要に応じて検査待ちリストを表示部３２に呼び出して該リストを確認することができる。検査待ちリストには、基本的には、未撮影の撮影メニューを含む検査がリストアップされる。ただし、未撮影の撮影メニューを含まない検査（登録されている撮影メニューに対応する全撮影画像についての読取りが終了している検査）であっても、検査保留が指示されれば、該検査もリストアップされる。
【００４１】
なお、検査待ちリスト表示画面において、ユーザにより検査が選択され開始ボタンが押下されれば、図示しない検査手段により検査が開始され、検査が選択され終了ボタンが押下されれば、検査終了手段４２による処理がなされる。
【００４２】
次に、読取制御装置３０の状態遷移図を図３に示す。読取制御装置３０は、処理する検査それぞれに対し検査なし状態、検査待ち状態、検査実行状態、検査済み状態の４状態を持つ。
【００４３】
初期状態である検査なし状態では、読取制御装置３０に当該検査が登録されていない。検査なし状態から、予約ボタンが押下されると検査受付手段４１により検査受付処理がなされ、一方、開始ボタンが押下されると検査開始手段により検査実行状態となる。検査実行状態の検査は検査終了ボタンの押下により、所定の条件にしたがい、検査終了手段４２により検査中断処理がなされ検査待ち状態へ、もしくは検査終了処理がなされ検査済み状態へと遷移する。また、検査待ち状態の検査が選択されて終了ボタンが押下されると、所定の条件にしたがい、検査終了手段４２により検査削除処理がなされて検査なし状態へ、もしくは検査終了処理がなされ検査済み状態に遷移する。
【００４４】
なお、検査済み状態は、出力待ち状態であり、出力が完了すると当該検査に関する全ての処理が完了し、検査なし状態となる。
【００４５】
次に、１検査についての受付から検査終了までの流れを簡単に説明する。
【００４６】
まず、検査受付手段４１により検査の受付処理がなされる。ユーザが、図４に示す検査受付画面において、患者情報の入力および撮影メニューの登録を行い、開始ボタンを押下することにより検査受付手段４１による検査受付処理がなされ、検査開始となる。ここで、必要であれば、撮影メニューのパラメータの変更を行う。検査の各撮影メニューに応じた撮影画像の読取りは、ユーザにより撮影メニューが選択され、読取装置２０に撮影画像を担持する画像担体を保持するカセッテが装填されて実行される。通常は、登録されている撮影メニュー毎に、撮影メニューの選択、読取装置２０へのカセッテの装填、画像読取りがなされ、登録されている全ての撮影メニューに対応した画像読取りが終了し、検査終了ボタンが押下されれば、検査終了手段４２により検査終了処理がなされ検査は終了となる。
【００４７】
次に、検査実行状態で検査終了ボタンが押下された場合の検査終了手段４２による処理フローを図５に示し、該フローにしたがって説明する。
【００４８】
終了ボタンの押下により処理が開始する。検査内に未撮影メニューがない場合（Ｓ１：Ｎｏ）はそのまま検査終了（Ｓ８）して処理が終了する。一方、検査内に未撮影メニューがある場合（Ｓ１：Ｙｅｓ）、選択手段５４の設定を確認する（Ｓ２）。「ダイアログ表示」が設定されている場合（Ｓ３：Ｙｅｓ）、表示部３２に「未撮影メニューを削除しますか？」のダイアログを表示し（Ｓ４）、ユーザ問い合わせを行う。削除が設定されている場合、もしくはユーザからの削除ＯＫの指示が入力された場合（Ｓ５：Ｙｅｓ）、検査終了処理として未撮影メニューを削除して（Ｓ６）、検査を終了して（Ｓ８）処理が終了する。保留が設定されている場合、もしくはユーザから削除ＮＯの指示が入力された場合（Ｓ５：Ｎｏ）、検査中断処理として、撮影待ちリストにリストアップして（Ｓ７）処理が終了する。
【００４９】
次に、検査待ちリストの検査が選択されて、終了ボタンが押下された場合の終了処理手段４２による処理フローを図６に示し、該フローにしたがって説明する。
【００５０】
検査待ちリストからの検査選択および終了ボタンの押下により処理が開始する。この際、複数の検査を選択し、該複数の検査についての処理の開始を一括して指示することができ、各検査についてそれぞれ以下の処理がなされる。検査内に読取り済みの撮影メニューがない場合（Ｓ１１：Ｎｏ）、検査自体を削除して（Ｓ１２）処理が終了する。検査内に読取り済みの撮影メニューがあり（Ｓ１１：Ｙｅｓ）、該検査内に未撮影メニューがない場合（Ｓ１３：Ｎｏ）、検査終了とし（Ｓ１７）処理が終了する。一方、検査内に読取り済みの撮影メニューがあり（Ｓ１１：Ｙｅｓ）、該検査内に未撮影メニューがある場合（Ｓ１３：Ｙｅｓ）、「未撮影メニューを削除しますか？」のダイアログを表示部３２に表示し（Ｓ１４）、ユーザ問い合わせを行う。ユーザから削除ＯＫが入力された場合（Ｓ１５：Ｙｅｓ）、検査終了処理として未撮影メニューを削除し（Ｓ１６）、当該検査を検査終了として（Ｓ１７）処理を終了する。一方、ユーザから削除ＮＯが入力された場合（Ｓ１５：Ｎｏ）、終了ボタンの押下がなかったものとして、未撮影メニューを保持した当該検査を検査待ちリストに残し（Ｓ１８）、すなわち当該検査を検査待ち状態のまま処理を終了する。
【００５１】
次に、ユーザにより、登録されている撮影メニューが指定され、オートリピートボタンがＯＮとされることにより開始されるオートリピート処理について説明する。
【００５２】
図７は、オートリピート処理を行う際の表示画面の一例である。
【００５３】
表示画面上に表示された登録済みの撮影メニューリストから、オートリピート読取りを行う撮影メニューがユーザにより指定され、さらに、オートリピートボタンＡが押下されてオートリピートがＯＮとされる。この状態で、読取装置２０で画像読取りを実行させると、指定された撮影メニューに設定されているパラメータに基づいたオートリピート読取りがなされ、繰り返された読み取りの数だけ同一の撮影メニューが表示画面上に表示される。
【００５４】
上記オートリピート読取りにおいては、指定された撮影メニューにパラメータの変更がなされている場合、この変更後のパラメータを引き継ぐため、読取装置における画像の読取りはこの変更後のパラメータに基づいて実行される。
【００５５】
本実施形態における読取制御装置３０は、具体的には、撮影画像の読取りを行う画像読取装置を制御する制御機能を有する、すなわち、読取制御プログラムが組込まれたコンピュータにより構成することができる。このコンピュータは、ネットワークを介して画像サーバ、画像処理装置、各医療科の端末、プリンタ等に接続されており、撮影メニュー毎に設定されたパラメータ内の出力条件にしたがって画像データを出力する。
【００５６】
また、読取制御装置は、放射線画像撮影装置における撮影を制御する機能を備え、放射線画像撮影装置に接続されていれば、例えば、撮影装置のＸ線源の出力等の制御を行うこともできる。
【図面の簡単な説明】
【図１】本発明の読取制御装置の概略構成を示すブロック図
【図２】読取制御装置のユーティリティ設定画面の一例を示す図
【図３】読取制御装置における状態遷移図
【図４】読取制御装置の検査受付けの画面の一例を示す図
【図５】検査実行中に終了ボタンが押下された際の処理の流れを示すフローチャート
【図６】検査待ち状態で終了ボタンが押下された際の処理の流れを示すフローチャート
【図７】読取制御装置のオートリピート処理を実行させる際の表示画面の一例を示す図
【符号の説明】
２０　　放射線画像読取装置
３０　　読取制御装置
３２　　表示部
３４　　入力部
３８　　処理部
４１　　検査受付手段
４２　　検査終了手段
４３　　オートリピート手段
４４　　記憶手段
４６　　登録手段
４７　　変更手段
５１　　削除手段
５２　　保留手段
５３　　表示指示手段
【図１】
2004053728.tif 000003
【図２】
2004053728.tif 000004
【図３】
2004053728.tif 000005
【図４】
2004053728.tif 000006
【図５】
2004053728.tif 000007
【図６】
2004053728.tif 000008
【図７】
2004053728.tif 000009